(57)【要約】【課題】  紙種別倍率設定モードで設定された倍率に応じてカットするロール紙の長さを調整することができる画像形成装置を提供する。【解決手段】  装着ロール紙の紙種と画像を形成するための用紙サイズと紙種毎の画像形成倍率を設定する操作表示手段２０５と、給送するロール紙の紙種に応じた倍率で画像倍率を調整する倍率調整手段２０７と、倍率調整に応じて給紙部より送り出されたロール紙のカットする長さを調整する長さ調整手段２０７とを備える画像形成装置。【選択図】  図２
2007232797.tif 000002
【特許請求の範囲】
【請求項１】
ロール紙から引き出した用紙を給紙する給紙手段と、該給紙手段から給紙された用紙に画像形成を行う画像形成手段と、ロール紙の紙種と用紙サイズと紙種毎の画像形成倍率を設定する操作表示手段と、ロール紙の紙種に応じた倍率で画像倍率を調整する倍率調整手段と、倍率調整に応じてロール紙から引き出した用紙のカット長さを調整する長さ調整手段と、を備えることを特徴とする画像形成装置。
【請求項２】
前記長さ調整手段は、用紙サイズを紙種別倍率設定で設定された倍率で補正することを特徴とする請求項１記載の画像形成装置。
【請求項３】
前記長さ調整手段は、紙種別倍率設定に補正値を加味してロール紙のカットする長さを調整することを特徴とする請求項１または２記載の画像形成装置。
【請求項４】
前記補正値を用紙サイズ毎に備えていることを特徴とする請求項３記載の画像形成装置。
【請求項５】
前記補正値を紙種毎に備えていることを特徴とする請求項３または４記載の画像形成装置。
【請求項６】
前記補正値は任意に設定され、かつ記憶手段に記憶されることを特徴とする請求項３乃至５のいずれか一項に記載の画像形成装置。
【発明の詳細な説明】
【技術分野】
【０００１】
本発明は、ロール紙に画像を形成する画像形成装置に関する。
【背景技術】
【０００２】
従来から、巻物状に巻かれた長尺帯状の用紙（ロール紙）上に、読み取った原稿の画像や外部機器から送信される画像を形成（印刷）できる画像形成装置が知られている。通常、この種のロール紙対応の画像形成装置には、ロール紙を切断するためのカッタ機構が備えられていて、画像形成後の用紙は、所定の切断位置で切断されて排出されるようになっている。
この種の画像形成装置は、定着部の熱によって用紙中に含まれている水分が蒸発し、定着前より若干ではあるが画像が縮む現象が発生する。また、定着時に発生する用紙のしわを抑制するため、用紙の搬送速度やトナーを用紙に定着させる圧力を変化させることにより画像が伸縮する現象が発生する。
このような画像の収縮現象を抑制するため、ロール紙の紙種に応じて倍率を補正することができる機能を備えているものがある。
【発明の開示】
【発明が解決しようとする課題】
【０００３】
しかしながら、倍率を補正すると画像形成時に画像が短くなり、カットされた用紙の後端部に余白が形成されたり、逆に画像が長くなり、カットされた用紙の後端部で画像が途切れたりする場合がある。
そこで本発明は、紙種別倍率設定モードで設定された倍率に応じてカットするロール紙の長さを調整することができる画像形成装置を提供することを目的とする。
【課題を解決するための手段】
【０００４】
上記目的を達成するために、請求項１記載の発明は、ロール紙から引き出した用紙を給紙する給紙手段と、該給紙手段から給紙された用紙に画像形成を行う画像形成手段と、ロール紙の紙種と用紙サイズと紙種毎の画像形成倍率を設定する操作表示手段と、ロール紙の紙種に応じた倍率で画像倍率を調整する倍率調整手段と、倍率調整に応じてロール紙から引き出した用紙のカット長さを調整する長さ調整手段と、を備えることを特徴とする。
請求項２記載の発明では、長さ調整手段は、用紙サイズを紙種別倍率設定で設定された倍率で補正する請求項１記載の画像形成装置を主要な特徴とする。
【０００５】
請求項３記載の発明では、長さ調整手段は、補正値を備え紙種別倍率設定に補正値を加味してロール紙のカットする長さを調整する請求項１または２記載の画像形成装置を主要な特徴とする。
請求項４記載の発明では、補正値は用紙サイズ毎に備えている請求項３記載の画像形成装置を主要な特徴とする。
請求項５記載の発明では、補正値は紙種毎に備えている請求項３または４記載の画像形成装置を主要な特徴とする。
請求項６記載の発明では、補正値は任意に設定され、かつ記憶手段に記憶される請求項３乃至５のいずれか一項に記載の画像形成装置を主要な特徴とする。
【発明の効果】
【０００６】
本発明の画像形成装置は、装着ロール紙の紙種と画像を形成するための用紙サイズと紙種毎の画像形成倍率を設定する操作表示手段と、給送するロール紙の紙種に応じた倍率で画像倍率を調整する倍率調整手段と、倍率調整に応じて給紙部より送り出されたロール紙のカット長を調整する長さ調整手段とを備えるので、紙種別倍率設定モードで設定された倍率に応じてカットするロール紙の長さを調整することができる。
【発明を実施するための最良の形態】
【０００７】
以下、本発明の実施形態を図面に基づいて説明する。
図１は本発明の実施形態に係る画像形成装置の構成図である。本画像形成装置は、メカ構造として、ロール紙を装着し給送する給紙手段１０１と、給紙部１０１に備えられ、ロール紙から引き出された用紙をカットするカット手段１０２と、用紙に画像を形成する電子写真式の画像形成手段１０３（感光体ドラム、帯電部、露光部、現像部、転写部）と、定着手段１０４と、定着手段１０４により定着された用紙を排出する排出手段１０５と、装着ロール紙の紙種を設定する紙種設定手段（操作表示部）１０６と、を備えている。
【０００８】
図２は本発明の実施形態に係る画像形成装置の機能ブロック図である。原稿のサイズを検出し、原稿を搬送して原稿画像を読み取るスキャナ部２０１と、画像データに対して、スキャナ画像補正処理、シフト処理、変倍処理、マスク処理、階調処理等を行う画像処理部２０２と、画像データを蓄える記憶部２０３と、ロール紙の搬送、カット処理、画像データをロール紙に出力する処理、定着処理等を行うプリンタ部２０４と、紙種、紙種別倍率設定、給紙段選択、用紙サイズ等、各種モードの設定を行うための操作表示部２０５（図１の紙種設定手段１０６が対応）と、外部機器からの画像読み取りを行い、また、印刷などの要求を受信し、機械の構成や状態などの情報を送信する通信制御部２０６と、前記各部を制御するシステムコントローラ２０７とから構成される。
【０００９】
以上の構成において、その動作を図２に基づいて説明する。先ず、装着ロール紙の紙種、紙種別倍率設定、ロール紙から引き出した用紙の給紙を行うための給紙段、ロール紙から引き出された用紙をカットするための用紙サイズ等の設定や、原稿セットに伴う自動読み取りスタートの設定を操作表示部２０５で行う。原稿がセットされると、スキャナ部２０１に設けたセンサにより原稿のセットが検出され、原稿の搬送と原稿画像の読み取り（スキャン）を実行する。スキャナ部２０１で読み取られた画像データは、スキャナ部２０１から画像処理部２０２へ送られ、記憶部２０３に蓄えられる。
【００１０】
操作表示部２０５で決定したモード設定に応じて、選択された給紙段のロール紙のプリンタ部２０４への搬送が行われる。記憶部２０３から出力された画像データは、画像処理部２０２へ送られ、画像処理部２０２からプリンタ部２０４へ送られる。プリンタ部２０４に送られた画像データは画像形成手段によりロール紙に出力される。給紙部（図１の給紙手段１０１）より送り出されたロール紙は、操作表示部２０５における紙種別倍率設定で調整された長さに達するとカットされる。
外部機器から印刷要求があると、通信制御部２０６で各種モードの設定情報を受信して、選択された給紙段のロール紙の搬送が行われる。通信制御部２０６で受信した画像データをプリンタ部２０４へ送りロール紙に画像出力する。給紙部より送り出されたロール紙は、倍率設定で調整された長さに達するとカットされる。
【実施例１】
【００１１】
図３は図２に示す画像形成装置の実施例１の動作を示すフローチャートである。以下の処理はシステムコントローラ２０７によってなされる。
印刷要求があると（Ｓ１０１）、印刷に必要な情報がプリンタ部２０４に通知され、プリンタ部２０４から印刷情報を取得し（Ｓ１０２）、カット長の算出を行う（Ｓ１０３）。紙種別倍率設定による画像倍率の調整があるか否かを判断し（Ｓ１０４）、倍率調整ならば、前記算出したカット長を紙種別倍率設定で設定された倍率で調整する（Ｓ１１０）。
倍率調整でない場合、あるいはカット長の調整後、画像データを出力するための設定を行い（Ｓ１０５）、ロール紙の給紙を開始する（Ｓ１０６）。そして、給紙長の計測を行い（Ｓ１０７）、給紙長がカット長に達したか否かを判断し（Ｓ１０８）、カット長に達するとロール紙のカット動作を行う（Ｓ１０９）。カット長に達していなければ、継続して給紙長の計測を行う（Ｓ１０７）。
実施例１の画像形成装置においては、紙種別倍率設定で設定された倍率に応じてカットするロール紙の長さを調整するので、カットされた用紙の後端部に余白が形成されたり、後端部の画像が途切れたりするのを抑制することができ、画像サイズの長さに合った用紙サイズを提供することができる。
【実施例２】
【００１２】
実施例２では用紙サイズを紙種別倍率設定で補正しロール紙のカットする長さを調整する場合を説明する。
図４は図２に示す画像形成装置の実施例２の動作を示すフローチャートである。以下の処理はシステムコントローラ２０７によってなされる。なお、図４は、図３で示した実施例１の動作フローチャートと同一のステップを共通の符号で示すため、ここでは異なる部分のみを説明する。
図４では、印刷に必要な情報がプリンタ部２０４に通知され、プリンタ部２０４から印刷情報を取得し（Ｓ１０２）、紙種別倍率設定による画像倍率の調整があるか否かを判断し（Ｓ２０１）、倍率調整ならば、用紙サイズを紙種別倍率設定で設定された倍率で補正する（Ｓ２０３）。倍率調整時は補正後の用紙サイズを使用し、倍率調整でなければ補正前の用紙サイズを使用して、カット長の算出を行う（Ｓ２０２）。カット長算出後、画像出力設定、給紙、カット動作を行う。
実施例２の画像形成装置においては、紙種別倍率設定で設定された倍率に応じて用紙サイズを補正し、補正した用紙サイズでロール紙から引き出された用紙をカットする長さを算出しているので、より画像サイズの長さに合った用紙サイズにすることができる。
【実施例３】
【００１３】
実施例３では、紙種別倍率設定に補正値を加味してロール紙のカットする長さを調整する場合を説明する。
図５は図２に示す画像形成装置の実施例３の動作を示すフローチャートである。以下の処理はシステムコントローラ２０７によってなされる。なお、図５は、図３で示した実施例１の動作フローチャートと同一のステップを共通の符号で示すため、ここでは異なる部分のみを説明する。
図５では、印刷に必要な情報がプリンタ部２０４に通知され、プリンタ部２０４から印刷情報を取得し（Ｓ１０２）、次に紙種別倍率設定による画像倍率の調整があるか否かを判断し（Ｓ３０１）、倍率調整するならば、印刷情報の用紙サイズで算出したカット長を、紙種別倍率設定で設定された倍率に補正値を加味して調整する。
もしくは、紙種別倍率設定で設定された倍率に補正値を加味して、用紙サイズを補正しカット長の算出を行う（Ｓ３０３）。倍率調整でなければ、印刷情報の用紙サイズを使用して、カット長の算出を行う（Ｓ３０２）。カット長算出後、画像出力設定、給紙、カット動作を行う。
実施例３の画像形成装置においては、紙種別倍率設定で設定された倍率に補正値を加味して、カットするロール紙の長さを調整するので、画像サイズの長さに対してより適した用紙サイズを提供することができる。
【実施例４】
【００１４】
実施例４は、用紙サイズに応じた補正値を定め、紙種別倍率設定にその補正値を加味してロール紙のカットする長さを調整する場合を説明する。
図６は図２に示す画像形成装置の実施例４の動作を示すフローチャートである。以下の処理はシステムコントローラ２０７によってなされる。なお、図６は、図５で示した実施例３の動作フローチャートと同一のステップを共通の符号で示すため、ここでは異なる部分のみを説明する。
図６では、紙種別倍率設定による画像倍率の調整があるか否かを判断し（Ｓ３０１）、倍率調整ならば用紙サイズに応じた補正値を取得する（Ｓ４０１）。例えば、用紙サイズの長さが４２０ｍｍＡ系列のＡ２横サイズ）未満ならば補正値１を使用し、４２０ｍｍ以上ならば補正値２を使用する。
または、用紙サイズの長さが４２０ｍｍ未満ならば補正値１を使用し、４２０ｍｍ以上１１８９ｍｍ（Ａ系列のＡ０縦サイズ）以下ならば補正値２を使用し、１１８９ｍｍを超える長さならば補正値３を使用するなど、用紙サイズの範囲を複数に分け用紙サイズに応じて補正値を設ける。紙種別倍率設定に取得した補正値を加味して、カット長調整処理を行う（Ｓ３０３）。
カット長調整処理（Ｓ３０３）に際しては、印刷情報の用紙サイズで算出したカット長を紙種別倍率設定で設定された倍率に補正値を加味して調整する、もしくは、紙種別倍率設定で設定された倍率に補正値を加味して、用紙サイズを補正しカット長の算出を行う。
【実施例５】
【００１５】
実施例５は、紙種別、または、紙種、用紙サイズ別に補正値を定め、紙種別倍率設定にその補正値を加味してロール紙のカットする長さを調整する場合を説明する。
図７は図２に示す画像形成装置の実施例５の動作を示すフローチャートである（その１）。図８は図２に示す画像形成装置の実施例５の動作を示すフローチャートである（その２）。以下の処理はシステムコントローラ２０７によってなされる。なお、図７、図８は、図５で示した実施例３の動作フローチャートと同一のステップを共通の符号で示すため、ここでは異なる部分のみを説明する。
実施例３と同様に、動作フローチャートに記載されているカット長調整処理（Ｓ３０３）では、印刷情報の用紙サイズで算出したカット長を紙種別倍率設定で設定された倍率に補正値を加味して調整する。もしくは、紙種別倍率設定で設定された倍率に補正値を加味して、用紙サイズを補正しカット長の算出を行う。
実施例４の画像形成装置においては、用紙サイズに応じた補正値を定め、紙種別倍率設定にその補正値を加味して、ロール紙のカット長を調整するので、用紙サイズの長さによって画像サイズとの差を補正することができ、適切な用紙サイズにすることができる。
【００１６】
図７では、紙種別倍率設定による画像倍率の調整があるか否かを判断し（Ｓ３０１）、倍率調整ならば紙種に応じた補正値を取得する（Ｓ５０１）。例えば、紙種が普通紙ならば補正値１を使用し、普通紙以外ならば補正値２を使用する。または、紙種が普通紙ならば補正値１を使用し、トレーシングペーパーならば補正値２を使用し、フィルム紙ならば補正値３を使用するなど紙種に応じて補正値を設ける。紙種別倍率設定に取得した補正値を加味してカット長調整処理を行う（Ｓ３０３）。
【００１７】
図８では、紙種別倍率設定による画像倍率の調整があるか否かを判断し（Ｓ３０１）、倍率調整ならば、紙種、用紙サイズに応じた補正値を取得する（Ｓ６０１）。例えば、図９の表で示したように、紙種が普通紙で用紙サイズが４２０ｍｍ未満ならば補正値１１を使用し、紙種がトレーシングペーパーで用紙サイズが４２０ｍｍ以上１１８９ｍｍ以下ならば補正値２２を使用するなど、紙種と用紙サイズに応じて補正値を設ける。紙種別倍率設定に取得した補正値を加味して、カット長調整処理を行う（Ｓ３０３）。
実施例５の画像形成装置においては、紙種、もしくは紙種と用紙サイズに応じた補正値を定め、紙種別倍率設定にその補正値を加味して、カットするロール紙の長さを調整するので、異なった紙種や用紙サイズに対して適切な用紙サイズにすることができる。
【実施例６】
【００１８】
実施例６は、補正値を任意に設定して記憶することができ、その補正値を加味してロール紙から引き出された用紙をカットする長さを調整する場合を説明する。実施例６は、実施例３、４、５などの動作フローチャートと共通のステップのため、ここでは動作部分のみを説明する。
操作表示部２０５で、カットする長さを調整する際に使用する補正値の設定（図示せず）を行う。印刷要求があると、システムコントローラ２０７より印刷に必要な情報がプリンタ部２０４に通知される。このとき、長さを調整する際に使用する補正値が通知される。もしくは、補正値を設定した際にこの補正値がプリンタ部２０４に通知される。前記補正値を使用して、算出したカット長を調整する。もしくは、用紙サイズを補正してカット長の算出を行う。
実施例６の画像形成装置においては、補正値を任意に設定して記憶し、その補正値を加味してカットするロール紙の長さを調整するので、画像サイズの長さに対して確実な用紙サイズにすることができ、必要とされる用紙サイズを提供することができる。
【図面の簡単な説明】
【００１９】
【図１】本発明の実施形態に係る画像形成装置の構成図である。
【図２】本発明の実施形態に係る画像形成装置の機能ブロック図である。
【図３】図２に示す画像形成装置の実施例１の動作を示すフローチャートである。
【図４】図２に示す画像形成装置の実施例２の動作を示すフローチャートである。
【図５】図２に示す画像形成装置の実施例３の動作を示すフローチャートである。
【図６】図２に示す画像形成装置の実施例４の動作を示すフローチャートである。
【図７】図２に示す画像形成装置の実施例５の動作を示すフローチャート（その１）である。
【図８】図２に示す画像形成装置の実施例５の動作を示すフローチャート（その２）である。
【図９】用紙サイズと紙種に応じた補正値を表で示す図である。
【符号の説明】
【００２０】
２０５  操作表示部（操作表示手段）
２０７  システムコントローラ（倍率調整手段、長さ調整手段）
【図１】
2007232797.tif 000003
【図２】
2007232797.tif 000004
【図３】
2007232797.tif 000005
【図４】
2007232797.tif 000006
【図５】
2007232797.tif 000007
【図６】
2007232797.tif 000008
【図７】
2007232797.tif 000009
【図８】
2007232797.tif 000010
【図９】
2007232797.tif 000011